(57)【要約】      （修正有）【課題】より防犯効果の高い擬似着信機能を有する携帯電話機を提供する。【解決手段】携帯電話機の擬似着信機能は、擬似着信音を鳴動させる操作に対応して、あらかじめ登録された通話先に自動的に発信動作を行い、発信先からの着信応答があると、擬似着信音の出力後に、実際の通話状態に移行する。この擬似着信開始操作に基づいた発信動作により、実際の通話が行うことができ、通話をしている振りをする必要がなくなり、さらに、危険を発信先の通話相手に通知することもできる。【選択図】図１
2008167196.tif 000002
【特許請求の範囲】
【請求項１】
第一の操作に基づいて、擬似着信音を出力させる擬似着信制御部と、
当該第一の操作に応じて、所定の発信先に発信動作を行い、当該発信先からの着信応答を受信すると、擬似着信音の出力後に、当該発信先と呼接続する電話制御部とを備えることを特徴とする携帯電話機。
【請求項２】
請求項１において、
前記電話制御部は、擬似着信音を出力中に前記着信応答を受信すると、着信応答に応答する第二の操作に基づいて、前記擬似着信制御部による擬似着信音の出力を停止させ、前記発信先と呼接続することを特徴とする携帯電話機。
【請求項３】
請求項１において、
前記擬似着信制御部は、擬似着信音の出力に応答した第二の操作に基づいて、擬似着信音の出力を停止し、その後擬似着信用メッセージを出力し、
前記電話制御部は、当該擬似着信用メッセージを出力中に前記着信応答を受信すると、前記擬似着信制御部による擬似着信用メッセージの出力を停止させ、前記発信先と呼接続することを特徴とする携帯電話機。
【請求項４】
請求項１において、
複数の発信先の電話番号を有する発信先リストを格納する記憶部を備え、
前記電話制御部は、前記発信先リストから所定の発信先を選択して発信動作を行い、当該所定の発信先から所定時間内に着信応答を受信しない場合は、前記発信先リストから別の発信先を選択して発信動作を行うことを特徴とする携帯電話機。
【請求項５】
請求項１において、
複数の発信先の電話番号を有する発信先リストを格納する記憶部を備え、
前記電話制御部は、前記発信先リストから所定の発信先を選択して発信動作を行い、当該所定の発信先から所定時間内に着信応答を受信した場合、着信応答に基づく当該所定の発信先との呼接続後の第二の操作に基づいて、前記発信先リストから別の発信先を選択して発信動作を行うことを特徴とする携帯電話機。
【発明の詳細な説明】
【技術分野】
【０００１】
本発明は、移動無線通信システムの端末である携帯電話機に関し、特に、防犯のための擬似着信機能を有する携帯電話機に関する。
【背景技術】
【０００２】
防犯機能を有する携帯電話機として、擬似着信と呼ばれる機能を持った携帯電話機がある。擬似着信機能は、近くにいる人がユーザに危害を加えようとしている気配を感じたときに、携帯電話機のキー操作により、実際に着信が無くともあたかも着信があったかのように、擬似着信音を鳴動させる機能であり、これにより相手に警戒心を与えることができる。さらに擬似的な着信応答操作により、鳴動を停止し、ユーザが擬似的に通話することでさらなる警戒心を与え、危害を加えられるのを防ぐこともできる（例えば、下記特許文献１参照）。
【特許文献１】特開２００２−３４４５７９号公報
【発明の開示】
【発明が解決しようとする課題】
【０００３】
しかしながら、擬似着信音を鳴動させる操作を行ったとしても、その後、ユーザに迫っている危険をだれかに伝えようと電話発信やメール発信しようとするときには、擬似着信機能の終了操作（例えば、擬似的な着信応答操作）をした後、携帯電話機をさらに操作して電話発信やメール発信を行う必要がある。
【０００４】
手動で電話発信を行う場合には、一回の動作で一人ずつ発信を行い、相手が不在の場合には、次の人を手動で選択し電話発信の操作を行う必要がある。
【０００５】
また、擬似的な着信に応答し、あたかも本当に通話相手と話しているかのように振舞うことはたいていの人にとって、難しいことである。
【０００６】
このように、従来の擬似着信の場合、実際に危害を加えられそうになった時に、電話を掛けなおさなければならない。
【０００７】
そこで、本発明の目的は、より防犯効果の高い擬似着信機能を有する携帯電話機を提供することにある。
【課題を解決するための手段】
【０００８】
上記目的を達成するための本発明の携帯電話機の第一の構成は、第一の操作に基づいて、擬似着信音を出力させる擬似着信制御部と、当該第一の操作に応じて、所定の発信先に発信動作を行い、当該発信先からの着信応答を受信すると、擬似着信音の出力後に、当該発信先と呼接続する電話制御部とを備えることを特徴とする。
【０００９】
本発明の携帯電話機の第二の構成は、上記第一の構成において、前記電話制御部は、擬似着信音を出力中に前記着信応答を受信すると、着信応答に応答する第二の操作に基づいて、前記擬似着信制御部による擬似着信音の出力を停止させ、前記発信先と呼接続することを特徴とする。
【００１０】
本発明の携帯電話機の第三の構成は、上記第一の構成において、前記擬似着信制御部は、擬似着信音の出力に応答した第二の操作に基づいて、擬似着信音の出力を停止し、その後擬似着信用メッセージを出力し、前記電話制御部は、当該擬似着信用メッセージを出力中に前記着信応答を受信すると、前記擬似着信制御部による擬似着信用メッセージの出力を停止させ、前記発信先と呼接続することを特徴とする。
【００１１】
本発明の携帯電話機の第四の構成は、上記第一の構成において、複数の発信先の電話番号を有する発信先リストを格納する記憶部を備え、前記電話制御部は、前記発信先リストから所定の発信先を選択して発信動作を行い、当該所定の発信先から所定時間内に着信応答を受信しない場合は、前記発信先リストから別の発信先を選択して発信動作を行うことを特徴とする。
【００１２】
本発明の携帯電話機の第五の構成は、上記第一の構成において、複数の発信先の電話番号を有する発信先リストを格納する記憶部を備え、前記電話制御部は、前記発信先リストから所定の発信先を選択して発信動作を行い、当該所定の発信先から所定時間内に着信応答を受信した場合、着信応答に基づく当該所定の発信先との呼接続後の第二の操作に基づいて、前記発信先リストから別の発信先を選択して発信動作を行うことを特徴とする。
【発明の効果】
【００１３】
本発明によれば、擬似着信音の出力要求操作に応じて、自動的に発信動作（呼出動作）が行われるので、擬似着信音に応答する操作に対して、擬似的な通話ではなく、実際の通話を行うことができ、防犯効果が高まる。
【発明を実施するための最良の形態】
【００１４】
以下、図面を参照して本発明の実施の形態について説明する。しかしながら、かかる実施の形態例が、本発明の技術的範囲を限定するものではない。
【００１５】
本発明の携帯電話機の擬似着信機能は、擬似着信音を鳴動させる操作（擬似着信開始操作）に対応して、あらかじめ登録された通話先に自動的に発信動作を行い、発信先からの着信応答があると、擬似着信音の出力後に、実際の通話状態に移行することを特徴とする。この擬似着信開始操作に基づいた発信動作により、実際の通話が行うことができ、通話をしている振りをする必要がなくなり、さらに、危険を発信先の通話相手に通知することもできる。
【００１６】
図１は、本発明の実施の形態における携帯電話機のブロック構成例を示す図である。本実施形態の携帯電話機は、操作制御部１、擬似着信制御部２、電話制御部３、メモリー４、スピーカ５、マイク６及びバイブレータ７を有する。
【００１７】
操作制御部１は、擬似着信操作部１１、擬似応答操作部１２、通話切断操作部１３及び発信先変更操作部１４を有する。これらはユーザが押下するキー及びキー制御であるとする。操作制御部１は、ユーザが携帯電話機に必要とする動作をさせるためのものである。
【００１８】
擬似着信操作部１１は、ユーザ操作により、擬似着信を開始するよう擬似着信制御部２に擬似着信の着信音を鳴動するよう要求する。また、電話制御部３に発信先リスト参照による電話発信を要求する。
【００１９】
擬似応答操作部１２は、ユーザ操作により、擬似着信制御部２に擬似着信の着信音を停止する要求を行い、電話制御部３に通話開始を通知する。
【００２０】
通話切断操作部１３は、ユーザ操作により、電話制御部３に通話を切断する要求を行う。発信先変更操作部１４は、ユーザ操作により、発信先が留守番サービスなどに接続した場合、接続の切断及び次の発信先に発信動作を行うよう要求を行う。
【００２１】
擬似着信制御部２は、擬似着信音鳴動開始部２１、擬似着信音鳴動停止部２２、擬似通話開始部２３及び擬似通話切断部２４を有する。
【００２２】
擬似着信音鳴動開始部２１は、擬似着信操作部１１からの着信音鳴動要求により、あらかじめ設定されている着信音の鳴動を開始する。
【００２３】
擬似着信音鳴動停止部２２は、擬似応答操作部１２からの着信音鳴動停止要求により、着信音の鳴動を停止する。また、擬似通話開始部２３は、メッセージ記憶部４１にあらかじめ記憶されている擬似着信用メッセージをスピーカ５から発生させる。
【００２４】
擬似通話切断部２４は、擬似着信用メッセージ発生中に電話制御部３より、着信応答の通知を受信した場合に擬似着信用メッセージの発生を止め、擬似着信を終了する。
【００２５】
電話制御部３は、発信動作開始部３１、発信先リスト読出部３２、発信動作用タイマー制御部３３、バイブレータ振動開始部３４、バイブレータ振動停止部３５、通話開始部３６及び通話切断部３７を有する。
【００２６】
発信動作開始部３１は、擬似着信操作部１１からの電話発信要求により、発信先リスト記憶部４２にあらかじめ作成されているリストを発信先リスト読出部３２が読み出すと、その発信先リストから電話番号を選択し、選択した電話番号に対し、発信動作を行う。また、付加情報記憶部４３にあらかじめ登録されている文字情報から、同時文字通知サービスで発信先に対し、呼出動作時に文字情報を送信してもよい。文字情報は、例えば、発信先に危険を知らせる文字であり、発信先の電話機に表示画面がある場合は、その文字が呼び出し音とともに表示される。
発信動作用タイマー制御部３３は、発信と同時に発信動作用タイマーをスタートさせる。このタイマーは発信先への呼び出しが一定時間を経過した場合に次の発信先リストに発信を行うためのものである。また、発信動作用タイマー制御部３３はタイマーが一定時間を経過した場合の検出や着信応答があった場合、タイマーをストップさせる機能も有する。
【００２７】
バイブレータ振動開始部３４は、発信先から着信応答があった場合、バイブレータ７の振動を開始し、応答があることをユーザに通知する。
【００２８】
バイブレータ振動停止部３５は、着信応答後に擬似応答操作部１２から通話開始の通知を受信するとバイブレータ７の振動を停止させる。また、擬似着信用メッセージ発生中に応答通知がある場合は振動開始後、数秒で停止させる。
【００２９】
通話開始部３６は、擬似応答操作部１２からの通話開始通知を受信すると発信先との通話を開始する。また、擬似着信用メッセージがスピーカ５から発生している際に応答通知がある場合は擬似着信用メッセージから通話に音を切替える。通話切断部３７は、ユーザ操作により、切断の要求がある場合、通話を切断する。
【００３０】
メモリ４は、メッセージ記憶部４１、発信先リスト記憶部４２及び付加情報記憶部４３を有する。メッセージ記憶部４１は、あらかじめ設定された擬似着信音応答後の擬似的な通話に用いられる擬似着信用メッセージを記憶する。発信先リスト記憶部４２は、本発明の擬似着信機能における発信動作が行われるときに、発信先の名前及び電話番号を先頭から発信したい順番にリストとして記憶する。発信先は、例えば家族や知人である。付加情報記憶部４３は、呼出動作時に文字を発信先に通知する同時文字通知サービスで発信先に送信する文字情報を記憶する。
【００３１】
スピーカ５は擬似着信用メッセージの音声出力及び発信先からの音声出力を行う。マイク６はユーザの音声を検出し、音声信号を電気信号に変換する。バイブレータ７は発信先からの着信応答時、振動する。
【００３２】
図２は、発信先リストの例を示す図である。発信先リストには、複数の発信先の名前及び電話番号を順番を付して登録することができ、後述するように、本発明の発信機能により発信動作が行われる場合、リストの順番に従って、発信先が選択される。
図３は、本発明の実施の形態における擬似着信動作の第一のシーケンスを示す図である。第一のシーケンスは、擬似着信音鳴動中に、発信先からの着信応答がある場合のシーケンスである。
【００３３】
ユーザは、擬似着信音を鳴動させるための所定の擬似着信開始キー操作を行う(S100)。操作制御部１の擬似着信操作部１１は、擬似着信開始キー操作に応答して、擬似着信制御部２に対して擬似着信音鳴動要求を送信し(S101)、擬似着信制御部２の擬似着信音鳴動開始部２１は、擬似着信音をスピーカ５から鳴動させる(S102)。
【００３４】
一方で、擬似着信操作部１１は、擬似着信開始キー操作に応答して、電話制御部３に対して電話発信要求を送信する(S103)。電話制御部３の発信先リスト読み出し部３２がメモリ４に記憶されている発信先リストを参照して、発信動作開始部３１は、リストの順番に従って発信先を選択し、選択した発信先に発信動作（呼出動作）を行う(S104)。この発信先リストに基づいた発信動作シーケンスについては、後述の図５で説明する。
【００３５】
電話制御部３は、擬似着信音が鳴動している間に、発信先からの着信応答を受信すると(S105)、応答通知を擬似着信制御部２に通知するとともに(S106)、バイブレータ振動開始部３４がバイブレータ７を振動させ、ユーザに着信応答を通知する（S107）。
【００３６】
ユーザは、バイブレータ７の振動により、発信先からの着信応答があることを認識すると、着信応答キー操作を行う(S108)。着信応答キーと擬似応答キーは同一であり、第一のシーケンスでは、発信先からの着信応答を受信した後に擬似応答キー操作を行うので、擬似応答キー操作が着信応答キー操作となる。
【００３７】
操作制御部１の擬似着信応答操作部１２は、着信応答キー操作に応答して、擬似着信制御部２に対して擬似着信音の鳴動停止要求を送信し(S109)、擬似着信制御部２の擬似着信音鳴動停止部２２は、スピーカ５から出力されている擬似着信音を停止させる。擬似着信制御部２は、S106の応答通知を受信していることで、S109の鳴動停止要求の受信に対して擬似着信用メッセージを出力せずに、擬似着信制御を終了する。鳴動停止後以降は、電話制御部３による通常の通話制御に移行する。
【００３８】
擬似応答操作部１２は、着信応答キー操作に応答して、擬似着信制御部２に対する鳴動停止要求に加えて、電話制御部３に対して通話開始通知を送信する(S110)。電話制御部３の通話開始部３６は、通話開始通知に基づいて、着信応答を呼接続し、これにより、ユーザは発信先との実際の通話が可能となる(S111)。
【００３９】
通話が終了し、ユーザが切断キー操作を行うと(S112)、操作制御部１の通話切断操作部１３は、切断キー操作に応答して、電話制御部３に切断要求を送信し（S113）。電話制御部３の通話切断部３７は、通話中の呼接続を切断する。
【００４０】
このように、第一のシーケンスでは、擬似着信音を鳴動させるユーザ操作に応答して、擬似着信音を鳴動させると共に、選択された発信先への発信動作を自動的に行い、擬似着信音が鳴動中に、発信先からの着信応答があった場合は、擬似着信音の鳴動を停止させるユーザ操作に応答して、鳴動を停止させるとともに、通常の通話に切り替わる。これにより、ユーザは、擬似着信音に応答すると、発信先との実際の通話を自然体で行うことができる。擬似的な通話を実際に通話しているように見せるのは困難であり、擬似的な通話であることが見破られると、危害が加えられる可能性が高まるが、本発明では、擬似着信音に対する応答として、実際の通話を行うので、相手の警戒心を高めることができ、防犯効果のより向上する。また、実際に危害が加えられるような状態になる場合に備え、発信先に差し迫った状況を、別途発信動作を行うことなく、連絡することができるので、ユーザに安心感を与えることができる。
【００４１】
図４は、本発明の実施の形態における擬似着信動作の第二のシーケンスを示す図である。第二のシーケンスは、擬似着信音鳴動に対して擬似応答操作を行い、擬似着信用メッセージに応答することで擬似的な通話を行っているときに、発信先からの着信応答がある場合のシーケンスである。
【００４２】
ユーザは、擬似着信音を鳴動させるための所定の擬似着信開始キー操作を行う(S200)。操作制御部１の擬似着信操作部１１は、擬似着信開始キー操作に応答して、擬似着信制御部２に対して擬似着信音鳴動要求を送信し(S201)、擬似着信制御部２の擬似着信音鳴動開始部２１は、擬似着信音をスピーカ５から鳴動させる(S202)。
【００４３】
一方で、擬似着信操作部１１は、擬似着信開始キー操作に応答して、電話制御部３に対して電話発信要求を送信する(S203)。電話制御部３の発信先リスト読み出し部３２がメモリ４に記憶されている発信先リストを参照して、動作開始部３１は、リストの順番に従って発信先を選択し、選択した発信先に発信動作（呼出動作）を行う(S204)。この発信先リストに基づいた発信動作シーケンスについては、後述の図５で説明する。
【００４４】
ユーザは、擬似着信音の鳴動に対して、擬似応答キー操作を行う（S205）。このとき、電話制御部３は発信先からの着信応答は受信していない。操作制御部１の擬似応答操作部１２は、擬似応答キー操作に応答して、擬似着信制御部２に対して擬似着信音の鳴動停止要求を送信し(S206)、擬似着信制御部２の擬似着信音鳴動停止部２２は、スピーカ５から出力されている擬似着信音の鳴動を停止させる。擬似着信制御部２は、発信先からの着信応答に基づく応答通知（図３のS106）を受信していないので、擬似着信音の鳴動停止後、擬似通話開始部２３は、擬似着信用メッセージをスピーカ５から出力する(S208)。擬似着信用メッセージは、メモリ４のメッセージ記憶部４１に記憶されたものであり、ユーザが、擬似的な通話を行うための会話用音声データである。また、擬似応答操作部１２は、擬似応答キー操作に応答して、擬似着信制御部２に対する鳴動停止要求に加えて、電話制御部３に対して擬似通話開始通知を送信する(S207)。これにより、電話制御部３は、擬似着信用メッセージを用いた擬似通話が行われていることを認識する。
【００４５】
擬似着信用メッセージが出力されている間に、電話制御部３が発信先からの着信応答を受信すると(S209)、電話制御部３は、応答通知を擬似着信制御部２に通知するとともに(S210)、バイブレータ振動開始部３４がバイブレータ７を振動させ、ユーザに着信応答を通知する（S211）。
【００４６】
擬似着信制御部２がS210の応答通知を受信すると、擬似通話切断部２４が擬似着信用メッセージの出力を停止し、電話制御部３による通常の通話制御に移行する。
【００４７】
第二のシーケンスでは、すでにS205で擬似応答操作がなされているので、バイブレータ７の振動は自動的に停止させ、自動的に着信応答と呼接続する。すなわち、バイブレータ７を一定時間（少なくとも擬似着信用メッセージの出力を停止するのに必要な時間）振動させた後、電話制御部３の通話開始部３６は、着信応答と呼接続し、これにより、ユーザは発信先との実際の通話が可能となる(S212)。
【００４８】
通話が終了し、ユーザが切断キー操作を行うと(S213)、操作制御部１の通話切断操作部１３は、切断キー操作に応答して、電話制御部３に切断要求を送信し（S214）。電話制御部３の通話切断部３７は、通話中の呼接続を切断する。
【００４９】
このように、第二のシーケンスでは、擬似着信音を鳴動させるユーザ操作に応答して、擬似着信音を鳴動させると共に、選択された発信先への発信動作を自動的に行い、擬似着信音に対するユーザの擬似応答操作に応答して擬似着信用メッセージが出力されている間に、発信先からの着信応答があった場合は、着信応答の受信に基づいて、擬似着信用メッセージの出力を停止させるとともに、通常の通話に切り替わる。これにより、ユーザは、擬似着信音に応答して擬似着信用メッセージとの通話を行っている途中から、発信先との実際の通話を自然体で行うことができる。これにより、第一のシーケンスと同様に、擬似着信音に対する応答として、実際の通話を行うので、相手の警戒心を高めることができ、防犯効果を高めることができる。また、実際に危害が加えられるような状態になる場合に備え、発信先に差し迫った状況を、別途発信動作を行うことなく、連絡することができるので、ユーザに安心感を与えることができる。
【００５０】
図５は、本発明の実施の形態における発信先リストを参照した発信動作シーケンスを示す図である。当該シーケンスは、電話制御部３の発信動作開始部２３の処理である。図３のS103及び図４のS104の電話発信要求があると、発信先リスト読み出し部３２は、メモリ４の発信先リスト記憶部４２に記憶される発信先リスト（図２）を読み出す。
【００５１】
電話制御部の発信動作開始部２３は、リストカウンタを初期化する(S300)。カウンタ初期値は「０」である。そして、発信動作開始部２３は、カウンタ値に対応する発信先を選択し(S301)、発信動作を行う(S302)。発信動作開始とともに、タイマーをスタートさせる(S303)。タイマー動作は、電話制御部３の発信動作用タイマー制御部３３によって制御される。
【００５２】
タイマーがタイムアウトする前に、着信応答があると(S304)、図３及び図４で示したように、擬似着信音の鳴動動作後の実際の通話状態となり、所定時間内に手動スキップ操作がない場合（S308）、タイマーストップとなり（S309）、発信動作は終了する。
【００５３】
手動スキップ操作は、例えば、着信応答があり、実際の通話状態となった場合でも、留守番電話であったりした場合、発信先と実際の会話ができないので、着信応答があった場合でも、次の発信先に再度発信動作を行うための操作である。手動スキップ操作も、所定のキー操作によって行われる、操作制御部１の発信先変更操作部１４が、手動スキップのためのキー操作に応答して、カウンタ値をカウントアップさせる。
【００５４】
手動スキップ操作が行われると、タイマーストップとなり（S310）、カウンタ値をカウントアップして（S311）、次のカウンタ値に対応する発信先を選択して(S301)、再度発信動作を繰り返す(S302)。
【００５５】
タイマーがタイムアウトする前に、選択された発信先が話し中であったり（S305）、圏外（発信先が携帯電話である場合）であったりする場合（S306）、着信応答もなく、話し中でもなく、圏外でもない状態でタイマーがタイムアウトした場合(S307)も、タイマーストップとなり（S310）、カウンタ値をカウントアップして（S311）、次のカウンタ値に対応する発信先を選択して(S301)、再度発信動作を行う(S302)。
【００５６】
このように、発信先と実際に会話できる通話となるまで、発信先リストの順番に従って、発信動作が繰り返される。
【００５７】
上述では、発信先からの着信応答をバイブレータ７の振動によりユーザに通知していたが、バイブレータ７に限らず、擬似着信音とは異なる音声で通知してもよいし、画面表示により通知してもよい。擬似着信音が鳴動中に音声で着信応答を通知する場合は、両音声を合成させる。
【００５８】
発信先リストが記憶されていない場合は、携帯電話機に記憶されている電話帳データに登録されている電話番号から所定の電話番号を選択して、発信動作が行われてもよい。
【図面の簡単な説明】
【００５９】
【図１】本発明の実施の形態における携帯電話機のブロック構成例を示す図である。
【図２】発信先リストの例を示す図である。
【図３】本発明の実施の形態における擬似着信動作の第一のシーケンスを示す図である。
【図４】本発明の実施の形態における擬似着信動作の第二のシーケンスを示す図である。
【図５】本発明の実施の形態における発信先リストを参照した発信動作シーケンスを示す図である。
【符号の説明】
【００６０】
１：操作制御部、２：擬似着信制御部、３：電話制御部、４：メモリ、５：スピーカ、６：マイク、７：バイブレータ
【図１】
2008167196.tif 000003
【図２】
2008167196.tif 000004
【図３】
2008167196.tif 000005
【図４】
2008167196.tif 000006
【図５】
2008167196.tif 000007